(57)【特許請求の範囲】
【請求項１】
下記（Ａ）〜（Ｃ）の区画を含む１枚のブランク（１００、２００）から組み立てられた容器であって、
（Ａ）正ｎ角形形状を為す底壁区画（１０）、（ｎは５以上）：
（Ｂ）上記正ｎ角形の各辺に接して形成されたｎ個の周壁区画（２０）。各周壁区画は、該正ｎ角形の一辺を共有して、底壁区画から放射状にブランク外方に延在する：
（Ｃ）各周壁区画の間に位置するｎ個の折畳区画（３０）：
各周壁区画（２０）および各折畳区画（３０）は、容器を封止した状態において、容器側壁部に位置する側壁部分（２０ａ、３０ａ）と、容器天壁部に位置する天壁部分（２０ｂ、３０ｂ）と、をそれぞれ備え、
各折畳区画（３０）は容器内側へ突出する谷折り状態とされ、その側壁部分（３０ａ）において、当該谷折りの当接する表面同士が当接状態に固定されていて、
各周壁区画の天壁部分（２０ｂ）は、側壁部分との境界線（１１）に対して、１/２×（180°−360°/ｎ）の角度を持って同一の傾斜方向で、ブランク外方へ延在する直線状の谷折罫（２５）を有していて、各谷折罫（２５）において谷折りすることで、容器天壁（１２０）は、放射状に絞り込むようにして封止されることを特徴とする、容器。
【請求項２】
上記各周壁区画（２０）の天壁部分（２０ｂ）に形成される谷折罫（２５）は、上記底壁区画の外接円の半径よりも長い距離をもって延在していることを特徴とする、請求項１記載の容器。
【請求項３】
水分を加えて復元することで可食となる固形食品（９０）を請求項１記載の容器内に封入した上で、当該容器をフィルム材で覆ってなる即席食品であって、
固形食品（９０）は、その外表面のほぼ全面が、容器の底壁、側壁、および天壁の内壁面に接触した状態で、容器内に封入されており、
固形食品（９０）を食する際には、封止された容器天壁を拡げることで、容器内に置かれた固形食品（９０）の高さよりも高い周壁（２０）が構成され、これにより上記容器は、少なくとも固形食品（９０）を復元するために注がれる水分を収容し得る容積を有するに至ることを特徴とする、即席食品。
【請求項４】
上記フィルム材により容器全体を外気から遮断していることを特徴とする、請求項３記載の即席食品。
【発明の詳細な説明】
【技術分野】
【０００１】
本発明は、災害に備えて保存しておく場合や、緊急時、登山の際等に携帯して必要に応じて喫食するのに適した小型の即席食品およびその容器に関する。さらに詳しくは、そのような即席食品および容器であって、正多角形形状の周壁を有するものに関する。
【背景技術】
【０００２】
例えばカップ麺等、お湯で復元することで可食となる固形食品をカップ状容器に封入してなる即席食品は従来から知られている。
これらの即席食品においては、固形食品に注がれるお湯を収容するスペースを予め確保しておく必要があることから、カップの容積は、固形食品自体の体積に比べてかなり大きなものとされている。このため、搬送、貯蔵、携帯等には場所を取ってしまうので、この問題を解決するための容器が種々考案されている。
【０００３】
特許文献１および特許文献２では、蛇腹を利用してカップの内容積を可変とし、お湯を注ぐ前段階における容器を小サイズ化している。すなわち、固形食品は収縮状態にあるカップ内に封入されていて、お湯を注ぐ際には、蛇腹を引っ張ってカップを拡大し、そこにお湯を注いで固形食品を復元する。
【０００４】
また、特許文献３に開示された電子レンジで調理するための紙容器においては、容器上部を折り畳んで内容物が封入されていて、調理の際には、折り畳まれた容器上部を上方へ拡げることで、当該拡がった部分が容器の一部となるよう構成されている。これにより、輸送、保管時における容器サイズの小型化が達成されている。
【０００５】
【特許文献１】実開平３−１２３８７０号公報
【特許文献２】実開昭５４−１０２４２８号公報
【特許文献３】特開２００２−３４７７４０号公報
【特許文献４】特開平１１−１０５９４３号公報
【発明の開示】
【発明が解決しようとする課題】
【０００６】
しかしながら、上記いずれの従来例においても、調理前における容器の大きさをある程度小さく保ってはいるものの、これを極限まで突き詰めてはいない。その理由は、これらの即席食品は、日常の食生活において便利に利用できるものであって、容器の大きさについても、輸送や貯蔵が極端に不便とならなければそれで足りる、との考えに基づいていると考えられる。
【０００７】
特に災害等の緊急時に備えて、大量貯蔵および簡易携行に適した常備用保存食として、その小サイズ化を極限にまで突き詰めた即席食品は、これまで提案されていない。
また、正多角形の周壁を備えた包装容器であって、容器上部を放射状に絞るようにして封止するタイプのものが特許文献４等に開示されているが、これを緊急時等に携帯する即席食品に適用したものは知られていない。
【０００８】
したがって、本発明の目的は、正多角形形状の周壁を有する容器、あるいはそのような容器を利用した即席食品であって、災害に備えて保存しておくとともに、緊急時等に携帯して必要に応じて喫食するのに適したものを提供することである。
【課題を解決するための手段】
【０００９】
本発明により、以下の特徴を備えた即席食品用の容器が提供される。
本発明の容器は、下記（Ａ）〜（Ｃ）の区画を含む１枚のブランクから組み立てられる。
（Ａ）正ｎ角形形状を為す底壁区画（ｎは５以上）。
（Ｂ）上記正ｎ角形の各辺に接して形成されたｎ個の周壁区画。各周壁区画は、該正ｎ角形の一辺を共有して、底壁区画から放射状にブランク外方に延在する。
（Ｃ）各周壁区画の間に位置するｎ個の折畳区画。
【００１０】
各周壁区画および各折畳区画は、容器を封止した状態において、容器側壁部に位置する側壁部分と、容器天壁部に位置する天壁部分と、をそれぞれ備える。
各折畳区画は容器内側へ突出する谷折り状態とされ、その側壁部分において、当該谷折りの当接する表面同士が当接状態に固定されている。固定は、接着剤、帯状部材、加熱融着、その他適宜の手段を利用して行うことができる。
各周壁区画の天壁部分は、側壁部分との境界線に対して、１/２×（180°−360°/ｎ）の角度を持って同一の傾斜方向で、ブランク外方へ延在する直線状の谷折罫を有していて、各谷折罫において谷折りすることで、容器天壁は、放射状に絞り込むようにして封止される。
【００１１】
また、本発明により、水分を加えて復元することで可食となる固形食品を上記容器に封入した上で、当該容器をフィルム材で覆ってなる即席食品が提供される。
固形食品は、その外表面のほぼ全面が、容器の底壁、側壁、および天壁の内壁面に接触した状態で、容器内に封入されている。
そして、固形食品を喫食する際には、封止された容器天壁を拡げることで、容器内に置かれた固形食品の高さよりも高い周壁が構成され、これにより上記容器は、少なくとも固形食品を復元するために注がれる水分を収容し得る容積を有するに至る。
【発明の効果】
【００１２】
上記構成を有する本発明の即席食品によれば、容器を封止した状態において、内部の固形食品の底面、側面、上面の全体に対して、容器の各内壁面が殆ど隙間のない状態で、固形食品を包み込む。したがって、固形食品自体の体積に対して、容器を含めた全体のサイズの増分が極限にまで抑えられている。
このような本発明の即席食品は、特に災害に備えた常備用、非常用として適しており、最小限のスペースに大量の食品を保管することが可能である。しかも個々の食品は、緊急時において、その１つあるいは複数を携帯するのに非常に便利である。
【００１３】
本発明の即席食品を喫食する場合は、周壁上部を拡げるように開封して容器の内容積を拡大し、ここに水分（水あるいはお湯）を注いで、内部の固形食品を復元する。このように、調理あるいは喫食のための容器として必要なスペースを、容器を開封することによって得ることができる。
【００１４】
また、容器の各内壁面が殆ど隙間のない状態で固形食品を包み込んでいるので、固形食品が容器内で動いて破損するということはない。さらに、内部の固形食品によって容器の各内壁面が支えられた状態になるで、容器の強度が増し、移送時や、多数を積み重ねて保管する状態でも、容器の変形や破損を起こしにくい。
【００１５】
本発明により提供される即席食品用の容器は、それを構成するブランクの折畳区画が容器の内側に向かって突出するように谷折りとされているので、折り畳まれた折畳区画が容器外部には現れず、容器内側に位置する。結果として、外観がスッキリして、意匠的に優れたものとなり、又、容器外部に突出する部分がないので容器が占有するスペースも小さくなる。
【００１６】
また、ブランクの中心に底壁区画を配置し、その周囲に放射状に周壁区画および折畳区画を配置しているので、お湯（あるいは水）で復元した固形食品を喫食する場合に、容器全体をボール鉢のように大きく拡げることができる。したがって、食品を取り出しやすく、また、食べやすい。固形食品の復元時に吸水率が高く、喫食の際に容器内に水分があまり残らない固形食品の場合は、このような構成が極めて有利である。
また、本発明の即席食品用容器は、１枚のブランクからできているので、該ブランクを紙製とすれば、容器を食器として使用後は、これを丸めて、あるいは潰して廃棄することができ、環境にも優しい。
【発明を実施するための最良の形態】
【００１７】
本発明の実施形態を添付の図面を参照して、以下に詳細に説明する。
≪容器を構成するブランク≫
図１は、本発明の一実施形態に係る容器を作成するためのブランク１００を示している。このブランク１００は、円形に近い回転対称形（底壁区画１０が正ｎ角形の時、ｎ回回転対称の形状）のシート材１枚で構成されている（なお、図１の例では、ブランク１００は円形ではないが、本発明においては円形でも良い）。このブランク１００を折り畳んで、図３等に示す容器が組み立てられる。
以下に説明するように、ブランク１００は、大きく分けて、「底壁区画１０」、「周壁区画２０」、「折畳区画３０」の３種類の区画に分かれる。「周壁区画２０」および「折畳区画３０」は、「底壁区画１０」の周囲に交互に複数配置されている。
【００１８】
（Ａ）底壁区画１０
底壁区画１０は、正六角形の形状を為していて、ブランク１００を組み立てて構成される容器の底壁を構成する。本発明においては、容器の底壁は正ｎ角形形状を為すが、ｎは５以上の自然数である。
（Ｂ）周壁区画２０
図示の例では、ブランク１００は、６つの周壁区画２０を備える。すなわち、各周壁区画２０は、正六角形の底壁区画１０の６つの辺に接して形成されている。
各周壁区画２０は、それぞれ、正六角形の一辺１２を共有して、底壁区画１０から放射状に、ブランク１００の外方に向かって延在している。
以上の説明から分かるように、底壁区画の形状が正ｎ角形であれば、周壁区画２０の数もｎ個となる。
（Ｃ）折畳区画３０
図示の例では、ブランク１００は、６つの折畳区画３０を備える。各折畳区画３０は、底壁区画１０の頂点を基点とし、底壁区画１０の周囲に存在する周壁区画２０と交互に配置されている。したがって、折畳区画３０の数と周壁区画２０の数とは同じになる。底壁区画１０の形状が正五角形や正八角形になった場合でも、両者の数は同じで、それぞれ５、８となる。なお、折畳区画３０と周壁区画２０を区画する折罫線２３は、底壁区画１０の外形線（折罫線）１２に対して直角に形成することが好ましい。直角に形成することで、ブランク１００を組み立てたときの容器側壁が容器底壁に対して垂直に立った状態となり、容器の強度、見た目等に優れる。一方、折罫線２３をブランク１００の周縁部に向かってやや開いた形状に形成すれば、組み立てた時の容器形状は底壁部分より天壁部分の広い逆角錐台形の容器となる。
【００１９】
図１において、正六角形の細線１１は、底壁区画１０の六角形の外形線と平行に存在していて、当該細線１１により、各周壁区画２０は、側壁部分２０ａと天壁部分２０ｂに分かれる。
同様に、細線１１により、各折畳区画３０も側壁部分３０ａと天壁部分３０ｂに分かれる。
ブランク１００を組み立てて構成した容器を封止した状態（図３参照）では、側壁部分２０ａ、３０ａは、容器１０１の側壁部分１１０を構成する。また、天壁部分２０ｂ、３０ｂは、容器１０１の天壁部分１２０を構成する。なお、周壁区画２０を側壁部分２０ａと天壁部分２０ｂに区画する細線１１は、図１の正六角形の場合に限らず、いずれの場合にも底壁区画１０の各辺（外形線１２）に対して平行に形成することが好ましく、平行に形成しない場合には、組み立てた容器がいびつな形状になる。
【００２０】
次に、ブランク１００は、一例として坪量２５０ｇ／ｍ２の紙の両面に、厚さ１５μｍおよび５０μｍのポリエチレン層を積層して構成される。厚さ１５μｍのポリエチレン層が容器外面側に位置し、厚さ５０μｍのポリエチレン層が容器内面側に位置する。
ただし、本発明においてブランクの素材や積層構成は特定のものに限定されるものではなく、内容物である固形食品および要保存期間等に応じて、適宜のものを採用することができる。また、ブランク１００は、組み立て易いように各折罫線をプレス成型機等を用いて型押ししておくと良い。
【００２１】
≪組み立て方≫
折畳区画３０は、二等辺三角形であって、その中央に一点鎖線で示した谷折罫３１を有する。谷折罫３１の箇所が容器の内側へ突出するよう折り畳むと、容器は図２に示した状態となり、各周壁区画２０が隣接して六角形の筒状周壁を有するに至る。
当該筒状周壁の各壁面は、図１における各周壁区画２０に対応しており、図１中の細線１１に対応する折罫よりも下側が側壁部分２０ａで、上側が天壁部分２０ｂである。
【００２２】
図２の状態において、谷折状に折り畳まれた各折畳区画３０は、少なくとも容器の側壁部分１１０に相当する領域（図１中における側壁部分３０ａ）において、当該谷折りにより当接する表面同士（図２中において、谷状に折り込んだ箇所３５において当接している表面同士）を接着剤で接着しておくことが好ましい。
これにより、図２の状態において、少なくとも容器の側壁部分１１０の形態が接着剤を用いて保形されることとなる。この容器は、内部に収容した固形食品をお湯で復元して喫食するものであるため、お湯を注ぐ時に不用意にブランク全体が拡がってしまうのを防止すべく、そのように接着剤を用いて保形性を高めることが好ましい。
【００２３】
また、接着剤を用いる以外の構成として、図２に示した側壁部分１１０の周囲を帯状部材（輪ゴム等でも可、図示せず）で締結することで固定してもよい。また、それ以外の構成であっても、谷折りによって当接する表面同士を当接状態に固定しておけるものであれば、どのような構成でもよい。
【００２４】
≪湯量ライン≫
以上のように、少なくとも容器の側壁部分１１０の形態が固定された構成を採用すると、容器の内壁面に「湯量ライン」を表示することができるので有利である。なお、「湯量ライン」とは、容器内の固形食品を戻すために注ぐべき湯量（水位）を示すラインで、それ自体は一般的に知られたものである。
仮に、上記のように接着剤や帯状部材等で容器の側壁部分１１０を固定していない場合には、お湯を注ぐ段階で図７に示した如く容器全体が大きく開いてしまい、こうなると「湯量ライン」がその機能を果たさなくなってしまう。
【００２５】
この容器は、図３に示したように、容器天壁部分１２０を放射状に絞り込むようにして封止されるが、その際、ブランク１００において細線１１に対応する折罫よりも上側の天壁部分２０ｂが放射状に絞り込まれる。下側の側壁部分２０ａは、容器の側壁部分１１０を構成する。図４（ａ）は、図３の状態を真上から見た平面図である。
なお、図３では、容器の天壁部分１２０はドーム状に盛り上がっているが、ここからさらに天壁部分１２０を下方に押圧して、天壁部分１２０と容器底壁とがほぼ平行となる状態とされる（図４（ｂ））。そして、後述するように、シュリンクフィルムその他のフィルム材で容器を覆うことで、天壁部分１２０と容器底壁とがほぼ平行となった状態を維持することができる。
【００２６】
≪周壁区画の天壁部分に設けた谷折罫２５≫
次に、図１中の一点鎖線で示した谷折罫２５の形成角度について、図５を参照して説明する。谷折罫２５の箇所は、容器の天壁部分１２０を放射状に絞り込む際に、容器内側に突出するように折り畳まれる。図１から分かるように、各周壁区画２０に対して１つの谷折罫２５が設けられていて、すべての谷折罫２５は、渦を巻くように同一の傾斜方向に、直線状にブランク外方へと延在している。
図５は、図１中における底壁区画１０と１つの周壁区画２０のみを取り出して模式図的に示したものである。
図４（ｂ）に示した如く容器の天壁部分１２０を放射状に絞り込んで封止できる構成とする場合、谷折罫２５の形成角度αは、底壁区画１０に含まれる１つの三角形の底角α'と等しく構成することが好ましい（α＝α'）。これにより、絞り込むように封止した天壁部分１２０を、内容物の上面に沿って、容器底壁とほぼ平行な姿勢に保ち易くなるからである。
【００２７】
角度α（＝α'）の計算式は、次のようにして導くことができる。
すなわち、六角形の場合、中心角Ｃは360°/６である。したがって、角度α（＝α'）＝１/２×（180°−360°/６）＝６０°となる。
八角形の場合には中心角Ｃは360°/８であるから、α（＝α'）＝１/２×（180°−360°/８）＝６７．５°となる。
一般化すると、正ｎ角形の場合にはＣ＝360°/ｎであるから、α＝１/２×（180°−360°/ｎ）となる。
【００２８】
≪谷折罫２５の寸法≫
図５において、底壁区画１０の外接円の半径をＲ、谷折罫２５の延在長さをＬとして表しているが、本発明においては、両者の寸法関係をＬ>Ｒとすることが好ましい。すなわち、谷折罫２５が底壁区画１０の外接円の半径よりも長い距離をもって延在していることが好ましい。
【００２９】
このような寸法関係とすると、図４（ｂ）に六角形の補助線で示した領域が現れる。この六角形領域では、図２の状態では容器内側を向いている内壁面が外側に露出している。天壁部分１２０を底壁と平行に維持した状態において、天壁部分１２０の中央に現れる開口１２１周辺における容器の強度が高まるので、容器内部を外部から良好に遮断できる。またＲを長くすることで容器を開口した時の容積の増加部分（図２の１１０より上の部分）を多くすることができる。
【００３０】
≪固形食品を封入した状態≫
図６は、天壁部分１２０と容器底壁とがほぼ平行となった最終的な封止状態を模式的に示している。すなわち、図６は図４（ｂ）に対応しているが、図６では、放射状に折り畳まれた天壁部分１２０の図示は省略して、容器の内容積部分のみを模式的に示している。
【００３１】
図６では、三角柱形状の麺塊９０を１つだけ図示しているが、実際には、六角形形状の容器１０１の場合、三角柱形状の麺塊を６つ並べて容器内一杯に麺塊を敷き詰める。五角形形状や八角形形状、その他の形状の場合も同様である。これによって、固形食品は、その外表面のほぼ全面が、容器の底壁、側壁、および天壁の内壁面に殆ど隙間なく接触した状態で容器内に封入される。したがって、固形食品自体の体積に対して、容器を含めた全体のサイズの増分が極限にまで抑えられている。
なお、図示の例では、複数のブロックに分割された麺塊９０を複数、容器内に敷き詰める構成を採用しているが、全体が一塊の六角柱状の固形食品（麺類等）や、粒状の固形食品（乾燥α化米等）を容器内に封入してもよい。その場合にも、固形食品は、その外表面のほぼ全面が、容器の底壁、側壁、および天壁の内壁面に殆ど隙間なく接触した状態で容器内に封入される。
【００３２】
≪「ほぼ全面」の意味≫
本発明の即席食品においては、「固形食品は、その外表面のほぼ全面が容器の内壁面に接触した状態」で容器内に封入される。ここでいう「ほぼ全面」の意味合いを説明する。
【００３３】
「ほぼ全面」とは、厳密な意味で全面とは言えなくても、全体として見た場合に、実質上全面（殆ど全ての面）と言える場合を含む趣旨である。例えば、六角形の容器内に、細い円柱状の複数のブロックに分けた固形食品を敷き詰めた場合には、円柱状の各固形食品（ブロック）と平板状の内壁面との間に僅かな隙間が生じるが、このような場合でも、ブロックの集合体である固形食品全体として見た場合には、固形食品の外表面の「ほぼ全面」が容器内壁面に接触している、と言える。つまり、容器の内壁面と固形食品との間に隙間は殆ど存在しない。
【００３４】
ただし、容器の内壁面と固形食品との間の隙間をさらに小さくして、一定容積の容器内により多くの食料を保存するという観点からは、図６に示した麺塊９０のような三角柱形状の固形食品（または、それを６つ合わせてなる六角柱状の固形食品）とすることが好ましい。あるいは、乾燥α化米等の粒状の固形食品を容器内に充満させることが好ましい。
これにより、固形食品は、容器の内壁面全体に接触するように封入されることとなり、その結果、容器の内壁面と固形食品との間に実質上隙間は存在しなくなる。
【００３５】
≪「接触する」の意味≫
また、「接触する」とは、固形食品の外表面上の全てのポイント（点）が容器の内壁面に接触しているという意味ではない。例えば、即席麺の麺塊は、その表面は平滑ではなく、多数の凹凸や空隙を含んでいる。これを平坦な内壁面で支持した場合、厳密な意味では面全体が接しているとは言えないが、本発明における「固形食品の外表面のほぼ全面が容器の内壁面に接触する」にはこのような状態を含む。
また、乾燥α化米等の粒状の固形食品を考えると、平面と粒状体との接触状態は、厳密な意味では接触していないポイント（点）も存在するが、このような場合も、粒状米の集合体全体として見た固形食品は、その外表面のほぼ全体が容器の内壁面に「接触」していると言える。
【００３６】
≪フィルム材によるラッピング≫
上述したように固形食品を容器内に入れて、天壁部分１２０を放射状に絞り込み、底壁と天壁部分１２０とをほぼ平行とした状態で、フィルム材（図示せず）を用いてラッピングすることで当該状態を維持することが好ましい。
【００３７】
図４（ａ）、（ｂ）から分かるように、放射状に絞り込む天壁を採用しているため、天壁中心の開口１２１を接着剤で封止することはできない。したがって、フィルム材を用いたラッピングが好ましい。
封止状態の維持は、フィルム材を用いたラッピングのみで達成してもよいし、ラッピングに加えて接着剤による固定を補助的に利用してもよい。すなわち、放射状に絞り込んだ天壁部分１２０において重なり合う部分に接着剤等を塗布することで封止状態を固定してもよい。
【００３８】
ラッピングは、容器全体を外気から遮断するように密閉しているものであっても、例えば、天壁中央の開口１２１を覆うように容器本体に巻き付けた帯状のフィルム材であってもよい。ただし、緊急時に備えて長期保存するという観点からは、フィルム材によるラッピングは、容器全体を外気から遮断するように密閉しているものが好ましい。
【００３９】
≪調理、喫食する際の開封操作≫
次に、調理、喫食する際の開封操作について説明する。容器を覆うフィルム材を剥がして、放射状に絞り込むように封止された天壁部分１２０を拡げると、図２に示した状態となる。これにより、容器内に置かれた固形食品の高さよりも高い周壁２０が構成され、これにより容器は、固形食品を復元するために注がれる水分を収容し得る容積を有するに至る。
【００４０】
この状態で、お湯または水を加えて復元することで固形食品が可食となる。一般にはお湯を使用することが好ましいが、災害時等の非常事態においては固形食品を水で復元することも可能である。水で復元できる固形食品としては、特公昭５７−８５９４号公報に記載された、水で復元する即席麺があり、当該即席麺等を用いることで、非常用として優れた食品となる。
【００４１】
本発明の容器を構成するためのブランク１００は、全体が多角形（回転対称のもので、円角形でもよい）であって、その中心に底壁区画１０を配置し、その周囲に放射状に周壁区画２０および折畳区画３０を配置している。したがって、お湯（あるいは水）で復元した固形食品を喫食する場合に、図７に示したように、容器全体がボール鉢のように大きく拡がる。したがって、食品を取り出しやすく、また、食べやすい。
固形食品の復元時に吸水率が高く、喫食の際に容器内に水分があまり残らない固形食品の場合（例えば焼ソバやチャーハン等）は、このような構成が極めて有利である。なお、折畳区画側壁部３０ａの当接する箇所を接着した場合は、喫食時に当該箇所を引き剥がして拡げればよく、そのために引き剥がし易い接着剤や接着方法を用いることが望ましい。
【００４２】
≪放射状に絞り込む天壁を採用したことによる保形性≫
図３および図４に示したように、本発明の容器では、容器天壁部分を放射状に絞り込むようにして封止している。したがって、六角形容器の場合には、６条の折畳片１２５（ｎ角の場合には、ｎ状の折畳片）が互いに折り重なるようにして当該容器が封止されるので、封止状態を維持するある程度の保形力が作用し、その結果、内容物を封止した後のフィルム包装を行い易くなる等のメリットがある。
【００４３】
≪意匠性が高いというメリット≫
また、本発明の容器においては、ブランク１００の折畳区画３０が容器の内側に向かって突出するように谷折りとされているので、図３から分かるように、折り畳まれた折畳区画３０が容器外部には現れず、容器内側に位置する。
したがって、外観がスッキリして、意匠的にも優れたものとなる。
【００４４】
≪正八角形の場合のブランク２００≫
図８は、底壁が正八角形形状の容器を作成する場合におけるブランク２００を示している。
この場合も本質的には、図１のブランク１００と構成は同じである。すなわち、ブランク２００は、大きく分けて、「底壁区画１０」、「周壁区画２０」、「折畳区画３０」の３種類の区画に分かれる。
ただ、底壁区画１０が正八角形形状となったことに起因して、周壁区画２０および折畳区画３０の数がそれぞれ８個となっている。また、周壁区画２０の天壁部分２０ｂに形成される谷折罫２５の形成角度は細線１１に対して６７．５°となっている。この値は、上述した通り、式α＝１/２×（180°−360°/ｎ）にｎ＝８を代入して得たものである。
他の構成については、既に説明したのと同様であるから、ここでは説明を省略する。
【００４５】
≪その他の付加的要素≫
また、本発明に関しては、その趣旨を逸脱しない範囲で、各種の変更、追加等可能である。例えば、本発明の即席食品において、容器に内包させる食品を熱湯で調理又は復元する食品とする場合、熱湯を注加して容器が高温になると容器を載置するテーブルの表面樹脂が溶融してしまう場合が考えられる。そこで、このような場合に備えて、容器底面となる底壁区画１０に断熱性の樹脂層を積層したり、糸尻を設けることができる。糸尻を設ける方法としては、組み立て前のブランク１００にプレス成型する方法が簡単で、容器の組み立てを容易にするために行う折罫線のプレス成型と同一行程で行うことができる。
【００４６】
また、折畳区画３０は容器内部に突出する谷折り状態とするが、容器に組み立てた際の側壁部分２０ａより容器外側に突出しなければ、例えば、谷折り・山折り・谷折りというように奇数回に折り畳み、全体として谷折り状態とすることもできる。このようにすれば、容器開口時に容器内方に突出する折畳区画の突出部分を小さくすることができ、容器を開口して注湯する際に邪魔にならない利点がある。
【００４７】
また、前記説明においては、容器をフィルム材によってラッピングすることで、底壁部分と天壁部分をほぼ平行に保つと記載したが、ラッピング以外にも天壁開口（図４ｂの１２１）を覆うような貼着シールを貼り付け、開口を開かないように封止することも可能である。ただしこの場合、密閉性付与等の観点からすれば、全体をフィルム材でラッピングする方が優れていることは言うまでもない。
【実施例】
【００４８】
以下に、一例として、焼きそばタイプの即席油揚げ麺を内包した本発明の容器入り即席食品の製造例、喫食方法を記載する。なお、本発明は即席麺以外にも、即席米飯類や、ＦＤ成型食材等各種の即席食品に適用可能である。
【００４９】
小麦粉８５０ｇに澱粉１５０ｇを粉体混合し、これに食塩１５ｇ、かんすい２ｇ、ポリリン酸ナトリウム１ｇを溶解した練り水３５０ｍｌを加えて、ミキサーで約１５分間混練して生地を形成した。これを連続圧延機で圧延して麺厚０．７ｍｍの麺帯とし、角刃２０番で切り出して麺線とした。この麺線を蒸し機で蒸煮して１０００ｍｌの水に食塩２０ｇ、グルタミン酸ソーダ２０ｇを溶解した着味液に約５秒間浸漬し、次いで１食分（５５ｇ）にカットした。
カットした麺線を内径が１辺５．６ｃｍ、高さ（深さ）２．０ｃｍの正六角柱型の通液性のフライリテーナに軽く押し込んで充填し、通液性の蓋をして約１５０℃のパーム油中に２分１５秒投入してフライ処理した。
【００５０】
このようにして製造した即席油揚げ麺は、およそ一辺が５．６ｃｍで高さ２．０ｃｍの正六角柱型であった。この即席麺塊を、概略図１の展開図を組み立てた図２の状態の容器（折畳区画３０の側壁部分３０ａの容器外側の箇所はそれぞれ接着剤で軽く接着されている）に嵌入し、キャベツ等の乾燥具材を入れた後、谷折罫２５に従って天壁部１２０を図３の状態に折り畳み、さらに全体をシュリンク包装にかけて図４（ｂ）の状態に封入した。容器は容器内部の寸法で、底壁区画１０の一辺が５．６ｃｍ、側壁部分２０ａの高さ（深さ）２．８ｃｍ（図２の１１０の長さ）、天壁部分２０ｂの長さ５．７ｃｍ（図２の１１０より上部の長さ）で、具材および麺塊と容器との間に実質的に隙間が存在せず、麺塊が容器内で動かないように封止された状態である。また、容器を構成するブランク１００は容器外側となる面から内側になる面に向かって、ポリエチレン層１５μｍ／紙層（坪量２５０ｇ／ｍ２）／ポリエチレン層５０μｍの積層紙である。また、容器内部には、天壁部分２０ｂに底壁区画１０から４．５ｃｍの所に湯量ライン（喫水線）が引かれている。
【００５１】
上記によって製造した紙容器入り即席油揚げ麺を、シュリンク包装を破り、図２の形に開口した後、上部から熱湯を湯量ラインまで注いだ。給湯量は約３５０ｍｌである。この状態で約３分経過後、開口部からお湯を捨て、続いて折畳区画３０の側壁部分３０ａの接着部分を引き剥がして、図７の形状に開いて容器を皿型にした。容器内部の麺線に焼きそば用粉末ソースをふりかけ、箸でよくかき混ぜた後、皿型に広げた容器をそのまま食器として使用して、喫食した。
【図面の簡単な説明】
【００５２】
【図１】本発明の一実施形態に係る容器（正六角形）を作成するためのブランクを示す展開図。
【図２】図１のブランクを組み上げて容器を構成する工程を説明する斜視図。
【図３】図１のブランクを組み上げて容器を構成する工程を説明する斜視図。
【図４】図３の状態の容器を真上から見た平面図。
【図５】図１のブランクにおいて周壁区画の天壁部分に形成される谷折罫を説明する説明図。
【図６】容器内に固形食品を封入した状態を説明する模式図。
【図７】喫食時に容器を拡げた状態を説明する斜視図。
【図８】本発明の他の実施形態に係る容器（正八角形）を作成するためのブランクを示す展開図。
【符号の説明】
【００５３】
１０  底壁区画
１１  側壁部分と天壁部分とを区画する折罫
１２  底壁区画の辺
２０  周壁区画
２０ａ  側壁部分
２０ｂ  天壁部分
２３  周壁区画と折畳区画とを区画する折罫
２５  谷折罫
３０  折畳区画
３０ａ  側壁部分
３０ｂ  天壁部分
３１  谷折罫
３５  接着される谷折部分
９０  固形食品（麺塊）
１００、２００  ブランク
１０１  容器
１１０  容器の側壁部分
１２０  容器の天壁部分
１２１  開口
１２５  折畳片
【図１】
0004754953.tif 000002
【図５】
0004754953.tif 000003
【図６】
0004754953.tif 000004
【図８】
0004754953.tif 000005
【図２】
0004754953.tif 000006
【図３】
0004754953.tif 000007
【図４】
0004754953.tif 000008
【図７】
0004754953.tif 000009